(57)【特許請求の範囲】
【請求項１】
表裏を反転させることにより第１の状態の面と第２の状態の面とを切り替え可能な天板と、  前記第１の状態の面と前記第２の状態の面とが同じ態様によって着脱可能に載置される脚部を有する、前後方向にネスティング可能なフレームと、  前記第１の状態の面及び前記第２の状態の面のいずれにおいても前記天板を使用状態のまま複数収納するラックと、を備えるテーブルシステム。
【請求項２】
前記脚部は、  前記天板を前後左右方向に位置決めし、上下方向に着脱可能に載置する位置決め部材が上端に配置され、床面から前記位置決め部材の上面までの高さが互いに等しい請求項１に記載のテーブルシステム。
【請求項３】
前記脚部は、  一対の前方脚部及び前記前方脚部の内側の幅より外側の幅が狭い一対の後方脚部を含み、  前記フレームは、  一方の端部が他方の端部より次第に狭くなり、前記前方脚部及び前記後方脚部を横方向に連結して支持するテーパ部、及び前記テーパ部を前記前方脚部に連結する支持部材を具備し、  前記位置決め部材は、  前記前方脚部及び前記後方脚部のうち前記テーパ部の幅の狭いほうに連結される一方の上端部に配置される直角位置決め部材、及び他方の上端部に配置される直線状位置決め部材を含む請求項２に記載のテーブルシステム。
【請求項４】
前記天板は、  平面視が略正方形をなし、一方の面にホワイトボード層を有し、他方の面にカッター層を有する請求項３に記載のテーブルシステム。
【請求項５】
前記天板は、  縁に枠体をさらに備え、  前記枠体は、  前記カッター層より上端面が低い請求項４に記載のテーブルシステム。
【請求項６】
前記テーパ部は、  幅が狭いほうの端部に、上方に角度を付けて折れ曲がるハンドル部を有する請求項５に記載のテーブルシステム。
【請求項７】
前記テーパ部は、  幅が狭いほうの端部に、前記支持部材と一直線上に形成されるハンドル部を有する請求項５に記載のテーブルシステム。
【請求項８】
表裏を反転させることにより第１の状態の面と第２の状態の面とを切り替え可能な天板と、  前記第１の状態の面と前記第２の状態の面とが同じ態様によって着脱可能に載置される脚部を有する、前後方向にネスティング可能なフレームと、を備えるテーブル。
【請求項９】
前記脚部は、  一対の前方脚部及び前記前方脚部の内側の幅より外側の幅が狭い一対の後方脚部を含み、  前記天板を前後左右方向に位置決めし、上下方向に着脱可能に載置する位置決め部材を上端に備え、  前記フレームは、  一方の端部が他方の端部より次第に狭くなり、前記前方脚部及び前記後方脚部を横方向に連結して支持するテーパ部、及び前記テーパ部を前記前方脚部に連結する支持部材を具備し、  前記位置決め部材は、  前記前方脚部及び前記後方脚部のうち前記テーパ部の幅の狭いほうに連結される一方の上端部に配置される直角位置決め部材、及び他方の上端部に配置される直線状位置決め部材を含む請求項８に記載のテーブル。
【請求項１０】
前記天板は、  平面視が略正方形をなし、一方の面にホワイトボード層を有し、他方の面にカッター層を有する請求項９に記載のテーブル。
【請求項１１】
前記天板は、  縁に枠体をさらに備え、  前記枠体は、  前記カッター層より上端面が低い請求項１０に記載のテーブル。
【請求項１２】
前記テーパ部は、  幅が狭いほうの端部に、上方に角度を付けて折れ曲がるハンドル部を有する請求項１１に記載のテーブル。
【請求項１３】
前記テーパ部は、  幅が狭いほうの端部に、前記支持部材と一直線上に形成されるハンドル部を有する請求項１２に記載のテーブル。
【請求項１４】
天板を第１の状態の面及び第２の状態の面のいずれにおいても使用状態のまま複数収納するラックは、左右で離間させて対向面を平行にして配置する、部材が床面から上方へ延びその後横方向に延び再び床面方向に延びた右側支持部材及び左側支持部材と、前記右側支持部材と左側支持部材を連結する上方横部材及び下方横部材と、前記右側支持部材と左側支持部材のそれぞれ対向面に設けた複数の天板載置部材とを備え、前記天板を前記天板載置部材の前端側及び後端側のいずれの側からでも収納できるラック。
【請求項１５】
前記天板を左右の側から支持し、最上段の載置部に前記天板を載置した場合、上端部が載置された前記天板の上端面より低い右側支持部材及び左側支持部材を備える請求項１４に記載のラック。
【請求項１６】
前記ラックは、床面から最上段の前記載置部に載置された前記天板までの高さが、立って作業するのに適した高さである請求項１５に記載のラック。
【発明の詳細な説明】
【技術分野】
【０００１】
本発明は、テーブルシステム及びテーブルに関するものである。
【背景技術】
【０００２】
学校などにおける学習活動、大学などのグループ研究活動、或いはオフィスにおける創作的活動等においては、複数人が使用できる大きさを有し、不使用時には収納できる複数のテーブルを使用する場合がある。このようなテーブルは、作業性のみならず収納が容易であることが求められる。
【０００３】
この点に関し、天板を跳ね上げて横方向にネスティングできるテーブルが提案されている（例えば、特許文献１。）。
【０００４】
しかし、このテーブルにおいては、作業が終了する際に仕掛中の物品があるとその物品を全て片づけてからテーブルを収納する必要があり、収納作業が煩わしいものとなっていた。
【０００５】
一方において、天板を取り外してフレームを上下方向にスタッキングするテーブルも提案されている（例えば、特許文献２。）。
【０００６】
しかし、このテーブルは、収納する際にフレームを持ち上げて他のフレームの上に重ねる必要がある。フレームは持ち上げるには重く、収納しづらいものであった。
【０００７】
また、取り外した天板を収納するラックが提案されている（例えば、特許文献３。）。
【０００８】
しかし、このラックは高さが高いため、重い天板を上方の段に収納するのは作業性が悪かった。
【先行技術文献】
【特許文献】
【０００９】
【特許文献１】特開２０１５−１０４５１７号公報
【特許文献２】特許第３５５９９６１号公報
【特許文献３】登録実用新案第３０１２１７７号公報
【発明の概要】
【発明が解決しようとする課題】
【００１０】
本発明が解決しようとする課題は、仕掛中の物品を天板に載せたまま容易に収納できるテーブルシステムを提供することである。
【課題を解決するための手段】
【００１１】
前記課題を解決するため、本発明に係るテーブルシステムは、表裏を反転させることにより第１の状態の面と第２の状態の面とを切り替え可能な天板と、前記第１の状態の面と前記第２の状態の面とが同じ態様によって着脱可能に載置される脚部を有する、前後方向にネスティング可能なフレームと、前記第１の状態の面及び前記第２の状態の面のいずれにおいても前記天板を使用状態のまま複数収納するラックと、を備える。
【発明の効果】
【００１２】
本発明によれば、仕掛中の物品を天板に載せたまま容易に収納できるテーブルシステムを提供できるという効果がある。
【図面の簡単な説明】
【００１３】
【図１】本発明のテーブルの一例の斜視図。
【図２】図１のテーブルの正面図。
【図３】図１のテーブルの背面図。
【図４】図１のテーブルの平面図。
【図５】図１のテーブルの底面図。
【図６】図１のテーブルの左側面図。
【図７】本発明のフレームの一例の斜視図。
【図８】図７のフレームをネスティングした状態を示す図。
【図９】図４のＡＡ線断面図における天板の部分拡大図。
【図１０】天板を収納するラックの一例の斜視図。
【図１１】図１０のラックに天板を収納した様子を示す斜視図。
【発明を実施するための形態】
【００１４】
以下、本発明の一実施形態にかかるテーブル１及びテーブルシステムを、図面を参照しながら説明する。
【００１５】
図１はテーブル１の斜視図、図２はテーブル１の正面図、図３はテーブル１の背面図、図４はテーブル１の平面図、図５はテーブル１の底面図、図６はテーブル１の左側面図である。
【００１６】
図１から図６に示すように、テーブル１は、フレーム２と、天板３と、を備える。天板３は、フレーム２に対して着脱可能である。天板３は平面視が略正方形をなす。天板３は、天板３をフレーム２に固定する固定部材を有さない。従って、天板３は用途に応じて両面を交互に使用することが可能である。
【００１７】
例えば天板３は、表面に第１の状態の面として白地のホワイトボード筆記面を有し、裏面に第１の面とは異なる第２の状態の面として後述するカッター層１１Ｃを有する面を備えることができる。あるいは、表面に第１の状態の面として白地のホワイトボード筆記面を有し、裏面に第２の状態の面として方眼入りのホワイトボード筆記面を備えることができる。もちろん、表面に第１の状態の面として白地のホワイトボード筆記面を有し、裏面にも第１の面と同様に第２の状態の面として表面と同様な白地のホワイトボード筆記面を備えることもできる。この場合、裏面は表面に書かれた文字を残したまま、表裏を反転させてさらに裏面に筆記を行うこともできる。
【００１８】
フレーム２は、天板３の四隅にほぼ対応する位置に設置される一対の前方脚部２１Ｆ及び一対の後方脚部２１Ｒと、一対の後方脚部２１Ｒの接地部位にそれぞれ一つずつ設けられるキャスタ２１Ａと、一対の後方脚部２１Ｒを互いに支持合うように連結する横部材２７と、後方脚部２１Ｒの上端部に設けられる直線状位置決め部材２４と、を備える。以下、図２に向かって手前側を前方、奥側を後方という。
【００１９】
フレーム２は、さらに１本のパイプ部材によって形成され、両端が後方脚部２１Ｒの上端部分に接続し、後方脚部２１Ｒの側から前方脚部２１Ｆの側に向かって次第に横幅が狭くなるテーパ部材２６と、一端が前方脚部２１Ｆの上端部分に接続し、テーパ部材２６を支持する支持部材２５と、を備える。
【００２０】
テーパ部材２６は、前方脚部の側の先端が上方に角度を付けて折れ曲がるハンドル部２２を有する。
【００２１】
一対の前方脚部２１Ｆの接地部位にそれぞれ設けられる滑り止め２１Ｂと、前方脚部２１Ｆの上端部に設けられる一対の直角位置決め部材２３と、を備える。
【００２２】
図５に示すように、後方脚部２１Ｒの外側の幅Ｗ２は、前方脚部２１Ｆの内側の幅Ｗ１より狭い。従って、前後方向のネスティングによる収納を行っても物理干渉は起きない。
【００２３】
また、図５においては、支持部材２５は斜めにテーパ部材２６に連結しているが、図５に向かって真横に直線状に連結してもよい。この場合、支持部材２５とハンドル部２２の前端とは一直線上に形成される。
【００２４】
図７は、フレーム２の斜視図である。図７に示すように、直角位置決め部材２３は載置される天板３の角を支持する直角に曲がったフランジ部を備える。直角位置決め部材２３は載置される天板３の左右方向及び前方向の位置決めを行う。また、直線状位置決め部材２４は載置される天板３の後ろ側の辺に平行なフランジ部を有する。直線状位置決め部材２４は載置される天板３の後ろ側の辺を後ろ方向から位置決めする。従って、天板３を直角位置決め部材２３及び直線状位置決め部材２４に嵌め込むと、天板３は前後左右方向に位置決めされる。
【００２５】
天板３は、直角位置決め部材２３及び直線状位置決め部材２４に載置されることによって位置決めされる。天板３及びフレーム２は、直角位置決め部材２３及び直線状位置決め部材２４以外に天板３をフレーム２に固定するために、互いに係合したり係止したりする係合部材を有さない。従って、天板３の両面を交互に裏返すことにより天板３の両面を使用することができる。
【００２６】
天板３は、第１の状態の面と前記第２の状態の面とが同じ態様、つまり直角位置決め部材２３及び直線状位置決め部材２４に着脱可能に載置されることにより位置決めされる。天板３は、第１の状態の面にも第２の状態の面にもフレームに対する係止具等を有さない。従って、第１の状態の面を上にして使用する場合にも第２の状態の面を上にして使用する場合にも直角位置決め部材２３及び直線状位置決め部材２４に着脱可能に載置されるという態様によってフレーム２の上に位置決めされる。
【００２７】
天板３は表裏を反転させることにより第１の状態の面と第２の状態の面との切り替えが可能である。つまり、天板３は裏返してフレーム２に載置することのみにより異なる状態の面を使用することができ、作業性がよい。
【００２８】
直角位置決め部材２３の上面（天板３の載置面）の床面からの高さｈＦと直線状位置決め部材２４の上面（天板３の載置面）の床面からの高さｈＲは互いに等しい。従って、天板３をフレーム２の上に載置するだけで高さ方向の位置決めが可能となり、天板３は略水平となる。
【００２９】
図８は、フレーム２をネスティングした状態を示す図である。図８に示すように、ネスティングしてフレーム２を収納する場合には、天板３を取り外し、フレーム２同士をネスティングさせる。ここで、ネスティングとは、一方のフレーム２に他方のフレーム２を前後方向から嵌め込むことによりフレーム２を密集させて収納することを言う。
【００３０】
一方のフレーム２に他方のフレーム２をネスティングさせるには、次のように各フレーム２を取り扱う。
【００３１】
一方のフレーム２を後方が手前側になるように配置する。他方のフレーム２のハンドル部２２を上方に引き上げる。このように操作すると滑り止め２１Ｂが床面から離れ、フレーム２はキャスタ２１Ａによって自由移動が可能なように支持される。この状態のまま、他方のフレーム２のハンドル部２２及び支持部材２５が一方のフレーム２の横部材２７の上方から重なるように、他方のフレーム２の前方脚部２１Ｆを一方のフレーム２の前方脚部２１Ｆに後方から前方に向かって近接させる。そして、他方のフレーム２のテーパ部材２６を一方のフレーム２のテーパ部材２６の内側に入り込むようにテーパ部材２６同士を近接させる。フレーム２はテーパ部材２６が後方脚部２１Ｒの側から前方脚部２１Ｆの側に向かって次第に横幅が狭くなる形態を有している。従って、物理干渉を起こさずに複数のフレーム２をネスティングすることが可能となる。
【００３２】
ここで、ハンドル部２２は上向きに角度を付けられ、かつ、支持部材２５よりも前方に突き出ているため、作業者にとってその部分がハンドルであることが容易にわかる。そして、ハンドル部２２を持ち上げると滑り止め２１Ｂが床面から離れ、キャスタ２１Ａのみが床面と接触する。従って、フレーム２を持ち上げるのに必要な力より少ない力によってフレーム２を容易に移動できる。加えて、滑り止め２１Ｂが床面に接していれば、キャスタ２１Ａにロックをかけなくてもテーブル１が移動することがなく、ロックをかける分の手間が省ける。
【００３３】
図９は、天板３の図４におけるＡＡ線断面図の部分拡大図である。図９に示すように、天板３は、木材や樹脂などによって形成される基質部１１Ｂと、基質部１１Ｂの一方の面に設けられるホワイトボード層１１Ａと、基質部１１Ｂの他方の面に設けられ、柔軟性のある樹脂やゴムによって形成されるカッター層１１Ｃと、天板３の縁を囲む枠体１１Ｄと、を備える。
【００３４】
ホワイトボード層１１Ａは、ホワイトボード用マーカを用いて書き込み、消し込みが可能な筆記面である。カッター層１１Ｃはカッターを用いて載置されるシートを切ることができる。
【００３５】
枠体１１Ｄは、カッター層１１Ｃの表面と面一ではなく、若干低くなっている。従って、天板３の縁付近においてカッターを使用しても枠体１１Ｄは邪魔にならずに済む。
【００３６】
天板３の形状は長方形、中でも正方形であることが望ましい。フレーム２への載置方向を気にせずに済むからである。
【００３７】
図１０は、天板３を収納するラック４の斜視図である。図１０に示すように、ラック４は、床面から上方に延び、その後横方向に延び、再び床面方向に延びる右側支持部材４１Ｒ及び左側支持部材４１Ｌと、右側支持部材４１Ｒと左側支持部材４１Ｌとを連結する上方横部材４３及び下方横部材４４と、を備える。
【００３８】
右側支持部材４１Ｒと左側支持部材４１Ｌとは対向して配置され、それぞれ対向面に複数の天板載置部材４２と、床面方向の端部に設置されるキャスタ４５と、を備える。
【００３９】
天板載置部材４２は、仕掛中の物品を天板３に載せたまま略水平に天板３を複数収納できるように、間隔ｈ１を上下方向に開けて配置される。間隔ｈ１は、例えば１０ｃｍ以上２５ｃｍ以下、望ましくは１５ｃｍである。
【００４０】
天板載置部材４２は、例えば断面がＬ字形状のアングル材を右側支持部材４１Ｒと左側支持部材４１Ｌとにそれぞれ溶接することにより設置される。
【００４１】
床面からラック４の最上段の載置部である上方横部材４３までの高さｈ２は、子供でも天板３を載置できる高さである６０ｃｍ以上１００以下、望ましくは９０ｃｍである。また、この高さは最上段の載置部に載置した天板３の上に物品を置いて、立って作業するのに適した高さである。
【００４２】
図１１は、ラック４に天板３を収納した様子を示す斜視図である。図１１に示すように、天板３は、天板３に載せたままにする物品の高さに応じて段を開けて収納することもできる。
【００４３】
ラック４は、収納される天板３同士の間隔を通常天板３に載せる物品の高さに応じた間隔を開けて、天板３を収納する。天板載置部材４２の上下間隔は天板３の通常載せる物品の高さよりも狭くてもよいが、この場合には天板載置部材４２の数を収納する天板３の枚数よりも多くする。
【００４４】
ラック４は、天板３の第１の状態の面及び第２の状態の面のいずれにおいても天板３を使用状態のまま収納することが可能である。例えば、ラック４は天板３に物品を載せたまま収納できるし、第１の状態の面であるホワイトボード筆記面と第２の状態の面であるホワイトボード筆記面とにそれぞれ筆記を残したまま収納することができる。
【００４５】
また、最上段の載置部に天板３を載置した場合、右側支持部材４１Ｒと左側支持部材４１Ｌとは上端部が載置された天板３の上端面よりも下方になるように形成される。従って、最上段の載置部に天板３を載せてこの天板３の上において生徒に見本等を示す場合、右側支持部材４１Ｒと左側支持部材４１Ｌとが邪魔にならずに済む。
【００４６】
以上述べたように、本実施形態のテーブル１は、表裏を反転させることにより両面が使用可能な天板３と、天板３を前後左右方向に位置決めし、上下方向に着脱可能に載置する位置決め部材（直角位置決め部材２３及び直線状位置決め部材２４を含む。）が上端に配置され、床面から前記位置決め部材までの高さが互いに等しい脚部（一対の前方脚部２１Ｆ及び一対の後方脚部２１Ｒを含む。）を有する、前後方向にネスティング可能なフレーム２と、を備える。
【００４７】
また、本実施形態のテーブルシステムは、上記のテーブル１と、天板３に物品を載せたまま収納できるように所定の間隔を開けて天板３を複数枚収納するラック４と、を備える。
【００４８】
従って、本発明の一実施形態に係るテーブル１によれば、仕掛中の物品を天板に載せたまま容易に収納できるテーブルシステムを提供することができるという効果がある。
【００４９】
なお、天板３は、必ずしも一方の面がホワイトボード層１１Ａ、他方の面がカッター層１１Ｃという構成でなくてもよい。例えば、一方の面が無地のホワイトボード層１１Ａ、他方の面が方眼入りのホワイトボード層１１Ａとしてもよい。また、天板３はいずれか一方の面、又は両方の面を通常の天板面としてもよい。天板３の各面の構成は適宜選択できる。
【符号の説明】
【００５０】
１  テーブル
２  フレーム
３  天板
４  ラック
１１Ａ  ホワイトボード層
１１Ｂ  基質部
１１Ｃ  カッター層
１１Ｄ  枠体
２１Ａ  キャスタ
２１Ｆ  前方脚部
２１Ｒ  後方脚部
２２  ハンドル部
２３  直角位置決め部材
２４  直線状位置決め部材
２５  支持部材
２６  テーパ部材
２７  横部材
４１Ｌ  左側支持部材
４１Ｒ  右側支持部材
４２  天板載置部材
４３  上方横部材
４４  下方横部材
４５  キャスタ
【図１】
0006796928.tif 000002
【図２】
0006796928.tif 000003
【図３】
0006796928.tif 000004
【図４】
0006796928.tif 000005
【図５】
0006796928.tif 000006
【図６】
0006796928.tif 000007
【図７】
0006796928.tif 000008
【図８】
0006796928.tif 000009
【図９】
0006796928.tif 000010
【図１０】
0006796928.tif 000011
【図１１】
0006796928.tif 000012